(57)【特許請求の範囲】
【請求項１】
用紙を折り畳む紙折ユニットと、
用紙のスキューを補正しながら、用紙を前記紙折ユニットへ前記紙折ユニットの折り方向に直角な供給方向に供給する搬送ユニットと、を備え、
前記搬送ユニットは、
長尺状の基準ガイドと、
前記基準ガイドに向かう力を用紙に作用させながら用紙を前記供給方向に搬送する搬送機構と、
前記基準ガイドを揺動させて前記基準ガイドの前記供給方向に対する傾きを調整する調整機構と、を備え、
用紙のスキューが、前記基準ガイドおよび前記搬送機構によって補正される紙折装置であって、
前記紙折ユニットによって折り畳まれた用紙の折りずれ量をユーザが入力するための入力ユニットと、
前記基準ガイドを前記供給方向と一直線にするために必要な補正量を演算し、かつ、前記調整機構を制御する制御ユニットと、をさらに備え、
前記制御ユニットは、前記補正量を、用紙の長さ、用紙の幅、前記紙折ユニットの折り長さ、および、前記入力ユニットを通じて入力された前記折りずれ量から演算し、
前記調整機構は、前記基準ガイドを演算された前記補正量で揺動させることによって前記基準ガイドの前記供給方向に対する傾きを補正する、
ことを特徴とする紙折装置。
【請求項２】
前記入力ユニットは、さらに、用紙の折りパターンをユーザが入力するためのものでもある、
ことを特徴とする請求項１に記載の紙折装置。
【請求項３】
前記入力ユニットは、さらに、用紙の前記長さおよび前記幅を入力するためのものでもある、ことを特徴とする請求項１に記載の紙折装置。
【請求項４】
前記紙折ユニットは、用紙を前記折り方向に一回折り畳む複数の折り機構を備え
前記折り長さは、最初に用紙を折り畳む前記折り機構の折り長さであり、
前記折りずれ量は、最初に用紙を折り畳む前記折り機構によって折り畳まれた用紙の折りずれ量である、ことを特徴とする請求項１に記載の紙折装置。
【請求項５】
前記基準ガイドは、上下方向にのびるピンの周りに揺動自在に設けられており、
前記調整機構は、前記基準ガイドを前記ピンの周りに揺動させて前記基準ガイドの前記傾きを調整する、ことを特徴とする請求項１から請求項４のいずれか１項に記載の紙折装置。
【請求項６】
前記紙折ユニットは、バックル折り機である、ことを特徴とする請求項１から請求項５のいずれか１項に記載の紙折装置。
【発明の詳細な説明】
【技術分野】
【０００１】
本発明は、用紙のスキューを補正し、それから用紙を折り畳む紙折装置に関する。
【背景技術】
【０００２】
この種の紙折装置は、特許文献１等に開示の通り広く知られている。紙折装置には、例えば、用紙を所定の折り方向に折り畳む紙折ユニットと、紙折ユニットの前段に配置され、用紙のスキューを補正しながら、用紙を紙折ユニットへ前記折り方向に直角な供給方向に供給する搬送ユニットとを備えたものがある。【０００３】
搬送ユニットは、供給方向にのびる長尺状の基準ガイド（定規とも呼ばれる）と、基準ガイドの隣に配置され、用紙を基準ガイドに向かって供給方向に対して斜めに搬送する搬送機構とを備える。【０００４】
用紙が搬送機構によって搬送されると、まず用紙の一側縁の端が基準ガイドに当接する。用紙が搬送機構によってさらに搬送されると、用紙の一側縁はその全長にわたって基準ガイドに当接する。それによって、用紙のスキューが供給方向に対して補正される。そして、用紙は、そのスキューが補正された状態で紙折ユニットへ送られて、紙折ユニットによって折り畳まれ、排出される。【０００５】
基準ガイドは、供給方向に平行に、即ち折り方向に直角にのびるように配置されなければならない。基準ガイドが供給方向に対して傾いていると、用紙のスキューは供給方向に対して正しく補正されない。その結果、用紙は、ずれて折り畳まれる（図１２Ｃ参照）。【０００６】
これを防止するために、搬送ユニットは、基準ガイドの傾きを調整するための調整機構を備える。ユーザは、紙折装置に用紙を試し折りさせ、折り畳まれた用紙のずれを確認する。そして、ユーザは、操作手段（例えばスイッチ、ダイヤル等）によって調整機構を操作し、それによって、基準ガイドの供給方向に対する傾きを補正し、基準ガイドが供給方向と一直線になるようにしていた。【０００７】
しかしながら、折り畳まれた用紙のずれを目で確認して、基準ガイドの傾きの補正に必要な補正量を直ちに割り出すことは難しい。実際、ユーザは、傾きを正確に補正するために、用紙の試し折りおよび調整機構の操作を何度も繰り返さなければならなかった。しかしながら、これは、負担が大きく、非常に時間がかかる。
【先行技術文献】
【特許文献】
【０００８】
【特許文献１】特開２００７−２６１７２６号公報
【発明の概要】
【発明が解決しようとする課題】
【０００９】
したがって、本発明は、基準ガイドの傾きを容易に補正することができる紙折装置を提供する。
【課題を解決するための手段】
【００１０】
本発明に係る紙折装置は、用紙を折り畳む紙折ユニットと、用紙のスキューを補正しながら、用紙を前記紙折ユニットへ前記紙折ユニットの折り方向に直角な供給方向に供給する搬送ユニットと、を備える。
前記搬送ユニットは、長尺状の基準ガイドと、前記基準ガイドに向かう力を用紙に作用させながら用紙を前記供給方向に搬送する搬送機構と、前記基準ガイドを揺動させて前記基準ガイドの前記供給方向に対する傾きを調整する調整機構と、を備える。用紙のスキューは、前記基準ガイドおよび前記搬送機構によって補正される。
紙折装置は、前記紙折ユニットによって折り畳まれた用紙の折りずれ量をユーザが入力するための入力ユニットと、前記基準ガイドを前記供給方向と一直線にするために必要な補正量を演算し、かつ、前記調整機構を制御する制御ユニットと、をさらに備える。前記制御ユニットは、前記補正量を、用紙の長さ、用紙の幅、前記紙折ユニットの折り長さ、および、前記入力ユニットを通じて入力された前記折りずれ量から演算する。前記調整機構は、前記基準ガイドを演算された前記補正量で揺動させることにより前記基準ガイドの前記供給方向に対する傾きを補正する。
【００１１】
好ましくは、前記入力ユニットは、さらに、用紙の折りパターンをユーザが入力するためのものでもある。
【００１２】
好ましくは、前記入力ユニットは、さらに、用紙の前記長さおよび前記幅を入力するためのものでもある。
【００１４】
好ましくは、前記紙折ユニットは、用紙を前記折り方向に一回折り畳む複数の折り機構を備え、前記折り長さは、最初に用紙を折り畳む前記折り機構の折り長さであり、前記折りずれ量は、最初に用紙を折り畳む前記折り機構によって折り畳まれた用紙の折りずれ量である。【００１５】
好ましくは、前記基準ガイドは、上下方向にのびるピンの周りに揺動自在に設けられており、前記調整機構は、前記基準ガイドを前記ピンの周りに揺動させて前記基準ガイドの前記傾きを調整する。【００１６】
前記紙折ユニットは、バックル折り機でよい。
【発明の効果】
【００１７】
ユーザは、折り畳まれた用紙の折りずれ量を、入力ユニットを通じて入力することで、基準ガイドの供給方向に対する傾きを補正することができる。即ち、基準ガイドの傾きを、簡単な入力によって容易に補正することができる。
【図面の簡単な説明】
【００１８】
【図１】本発明の一実施形態に係る紙折装置を概略的に示す側面図である。
【図２】図１の紙折装置の搬送ユニットを示す平面図である。
【図３】図２の搬送ユニットを部分的に示す斜視図である。
【図４】用紙のスキューの補正を説明するための平面図である。
【図５】図２の搬送ユニットの調整機構を示す斜視図である。
【図６】図５の調整機構の縦断面図である。
【図７】図１の紙折装置を部分的に示すブロック図である。
【図８】入力ユニットの表示画面の例を示す。
【図９】入力ユニットの表示画面の例を示す。
【図１０】入力ユニットの表示画面の例を示す。
【図１１】入力ユニットの表示画面の例を示す。
【図１２】基準ガイドの傾きの補正を説明するための説明図である。
【図１３】基準ガイドの傾きの補正を説明するための説明図である。
【図１４】用紙の折りずれ量を説明するための説明図である。
【発明を実施するための形態】
【００１９】
以下、添付の図面を参照して、本発明に係る紙折装置の一実施形態について説明する。
【００２０】
図１の通り、紙折装置は、給紙ユニット１、搬送ユニット２、及び、紙折ユニット３を備えており、紙折ユニット３は、給紙ユニット１および搬送ユニット２によって供給された用紙Ｓを、所定の折り方向に折り畳み排出する。
【００２１】
給紙ユニット１は、用紙スタックＴから用紙Ｓを搬送ユニット２へ供給する。給紙ユニット１は、フレーム２０に昇降可能に設けられた載置棚１０と、フレーム２０に支持され、載置棚１０の前端上方に配置されたバキュームロータ１１とを備える。給紙ユニット１は、載置棚１０に置かれた用紙スタックＴの最上位の用紙Ｓをバキュームロータ１１によって吸引して、用紙Ｓを一枚ずつ搬送ユニット２へ供給する。
【００２２】
搬送ユニット２は、給紙ユニット１の後段にかつ紙折ユニット３の前段に配置されている。搬送ユニット２は、給紙ユニット１から供給された用紙Ｓを受け取り、用紙Ｓのスキューを補正しながら、用紙Ｓを供給方向Ｙに紙折ユニット３へ供給する。搬送ユニット２の供給方向Ｙは、紙折ユニット３の折り方向に直角である。即ち、搬送ユニット２は、用紙Ｓを、紙折ユニット３へ、折り方向に直角な方向に供給する。図１では、搬送ユニット２の構成は簡略化されている。
【００２３】
図２、図３の通り、搬送ユニット２は、用紙Ｓの搬送路Ｇを有するフレーム２０（図１）と、搬送路Ｇの一側に設けられ、供給方向Ｙにのびる長尺状の基準ガイド２１とを備える。さらに、搬送ユニット２は、基準ガイド２１に並んで搬送路Ｇの下側に配置され、基準ガイド２１に向かう力を用紙Ｓに作用させながら用紙Ｓを搬送路Ｇ上で供給方向Ｙに搬送する搬送機構２２を備える。また、搬送ユニット２は、搬送機構２２に並んで搬送路Ｇの下側に配置され、搬送機構２２によって搬送されている用紙Ｓの下面の大部分を支持する支持台２３を備える。
【００２４】
搬送機構２２は、実施形態では、供給方向Ｙの上流側から基準ガイド２１に向かって供給方向Ｙに対して斜めにのびる搬送コンベヤである。より具体的には、搬送コンベヤは、吸着搬送コンベヤであり、用紙Ｓの下面をその搬送ベルトに吸着しながら搬送する。搬送コンベヤが駆動されると、その搬送力が、用紙Ｓに対して、供給方向Ｙ及び基準ガイド２１に向かう方向の双方に作用する。
【００２５】
図２‐図４の通り、用紙Ｓは、搬送ユニット２へ供給されると、搬送機構２２によって基準ガイド２１に向かって供給方向Ｙに対して斜めに搬送される。すると、用紙Ｓの一側縁Ｓａ（図４）の一方の端が基準ガイド２１に当接する。それから、用紙Ｓは、供給方向Ｙにさらに搬送され、当該搬送の間に、搬送機構２２によって生じる基準ガイド２１に向かう力により、一側縁Ｓａがその全長にわたって基準ガイド２１に当接する。このようにして、用紙Ｓのスキューが、基準ガイド２１および搬送ユニット２２によって供給方向Ｙに対して補正される。そして、用紙Ｓは、スキューが補正された状態で紙折ユニット３へ搬送される。
【００２６】
図１の通り、紙折ユニット３は、搬送ユニット２の後段に配置されている。紙折ユニット３は、搬送ユニット２から供給された用紙Ｓを受け取り、用紙Ｓを少なくとも１回折り方向（供給方向Ｙに直角）に折り畳む。
【００２７】
紙折ユニット３は、用紙Ｓの搬送路を有する。紙折ユニット３は、当該搬送路に沿って配置された複数の折り機構を備え、各折り機構は、用紙Ｓを折り方向に一回折り畳み、その次の折り機構に送る。実施形態では、４つの折り機構が設けられている。
【００２８】
より具体的には、紙折ユニット３は、バックル折り機である。各折り機構は、用紙Ｓが導入されるバックル３０ａ‐３０ｄと、バックル３０ａ‐３０ｄに配置されたストッパ３１ａ‐３１ｄと、を備える。バックル３０ａ‐３０ｄは、搬送路に沿って上段と下段とに交互に配置されている。バックル３０ａ‐３０ｄに導入された用紙Ｓの先端が、ストッパ３１ａ‐３１ｄに当接することによって、用紙Ｓは、予め定められた位置に位置決めされる。ストッパ３１ａ‐３１ｄのバックル３０ａ‐３０ｄに対する位置は、用紙の折りパターン（２つ折り、３つ折り等）や、折り畳まれる用紙のサイズに応じて、適切な機構によって自動的に調整される。
【００２９】
各折り機構は、バックル３０ａ‐３０ｄの入口近傍に配置され、用紙Ｓをバックル３０ａ‐３０ｄに取り込むために回転駆動される一対の取込ローラ３２ａ、３２ｂ；３２ｂ、３２ｃ；３２ｃ、３２ｄ；３２ｄ、３２ｅを備える。各折り機構は、バックル３０ａ‐３０ｄに導入された用紙Ｓのうち当該バックル３０ａ‐３０ｄの外にはみ出した部分を折り畳むために回転駆動される一対の排出ローラ３２ｂ、３２ｃ；３２ｃ、３２ｄ；３２ｄ、３２ｅ；３２ｅ、３２ｆを備える。図１から明らかな通り、前のバックルの排出ローラが、同時に次のバックルの取込ローラとして機能する。
【００３０】
用紙Ｓは、バックル３０ａ‐３０ｄに順次導入されて、交互に山折りおよび谷折りされる。搬送ユニット２から供給された用紙Ｓが一対のローラ３２ａ、３２ｂの間に引き込まれ、用紙Ｓの先端がバックル３０ａ内に導入される。用紙Ｓの先端がストッパ３１ａに当接すると、用紙Ｓはバックル３０ａの入口近傍で撓む。当該撓み部分は、一対のローラ３２ｂ、３２ｃの間に引き込まれ、用紙Ｓは一方側に折り畳まれる。
【００３１】
折り畳まれた用紙Ｓは、同様にして、バックル３０ｂと、一対のローラ３２ｂ、３２ｃと、一対のローラ３２ｃ、３２ｄとによって、前とは反対側に折り畳まれる。次いで、用紙Ｓは、バックル３０ｃと、一対のローラ３２ｃ、３２ｄと、一対のローラ３２ｄ、３２ｅとによって、前とは反対側に折り畳まれ、それから、バックル３０ｄと、一対のローラ３２ｄ、３２ｅと、一対のローラ３２ｅ、３２ｆとによって、前とは反対側に折り畳まれる。こうして、用紙Ｓは、蛇腹状に折り畳まれ、紙折ユニット３から排出される。
【００３２】
各折り機構は、各バックル３０ａ‐３０ｄに対して設けられ、バックル３０ａ‐３０ｄの入口を開閉するゲートを備える。バックルの入口がゲートによって閉じられているとき、用紙Ｓはそのバックルによって折り畳まれることなく、その次のバックルへ送られる。したがって、折りパターンに合わせて、使用するバックル３０ａ‐３０ｄを、言い換えると折る回数を選択することができる。
【００３３】
以上の構成により、紙折ユニット３は、様々な折りパターンで様々なサイズの用紙Ｓを折り畳むことができる。
【００３４】
この紙折装置において、基準ガイド２１が供給方向Ｙに対して傾いていると、用紙Ｓのスキューは、供給方向Ｙに対して正確に補正されない。その結果、図１２Ｃのように、折り畳まれた用紙Ｓにずれが生じる。したがって、基準ガイド２１は、供給方向Ｙに平行にのびて、供給方向Ｙと一直線でなければならない。言い換えると、基準ガイド２１は、紙折ユニット３の折り方向に直角にのびなければならない。このために、本発明に係る紙折装置は、基準ガイド２１の供給方向Ｙに対する傾きを補正する機能を有する。
【００３５】
図３‐図５の通り、搬送ユニット２は、基準ガイド２１の下流部分で基準ガイド２１に差し込まれ、上下方向にのびるピン２４を備える。基準ガイド２１は、このピン２４の周りに揺動自在にフレーム２０に対して取り付けられている。搬送ユニット２は、基準ガイド２１の上流部分の下方に配置され、基準ガイド２１をピン２４の周りに揺動させて基準ガイド２１の供給方向Ｙに対する傾きを調整する調整機構４を備える。
【００３６】
図５、図６を参照して、調整機構４は、フレーム２０に取り付けられたブラケット４０（図６）と、ブラケット４０に固定されて供給方向Ｙに直角にのびる調整ねじ４１と、調整ねじ４１に螺合するナット４２と、ナット４２を調整ねじ４１に沿って移動させて基準ガイド２１を揺動させるためのモータ４３と、を備える。
【００３７】
モータ４３の駆動力をナット４２へ伝達するために、調整機構４は、モータ４３の出力軸に連結されたプーリー４４と、プーリー４４とナット４２との間に掛け渡されたベルト４５とを備える。
【００３８】
基準ガイド２１、ナット４２およびモータ４３は、連結体４６によって連結されて、一体的に移動可能である。なお、基準ガイド２１は、ブラケット４０には取り付けられず、この上に載せられているだけである。
【００３９】
基準ガイド２１が基準位置にあることを検出するために、調整機構４は、調整ねじ４１に取り付けられた検知体４７と、ナット４２に取り付けられて検知体４７と対向し、検知体４７までの距離を検出する原点センサ４８と、を備える。
【００４０】
モータ４３が駆動されると、その駆動力は、ナット４２に伝達され、ナット４２を、調整ねじ４１の周りに回転せしめる。調整ねじ４１とナット４２との螺合ゆえに、ナット４２は、回転しながら調整ねじ４１に沿って移動する。連結体４６による連結ゆえに、基準ガイド２１およびモータ４３もナット４２と一緒に移動する。上述の通り、基準ガイド２１は、ピン２４の周りに揺動自在である。したがって、ナット４２が、調整ねじ４１に沿って移動すると、基準ガイド２１は、ピン２４の周りに揺動され、その傾きが調整される。基準ガイド２１の揺動方向は、モータ４３の回転方向によって決まる。
【００４１】
図１を参照して、紙折装置は、制御ユニット５および入力ユニット６をさらに備える。
【００４２】
制御ユニット５は、例えば、プロセッサー、記憶媒体等で構成されている。制御ユニット５は、給紙ユニット１、搬送ユニット２、紙折ユニット３、および、入力ユニット６に電気的に接続されており、これらのユニット２、３、６を制御する。
【００４３】
図７の通り、基準ガイド２１の傾きの補正のために、制御ユニット５は、調整機構４（そのモータ４３および原点センサ４８）に電気的に接続されており、入力ユニット６を通じて入力された情報に基づいて調整機構４を制御する。また、制御ユニット５は、基準ガイド２１を供給方向Ｙと一直線にするために必要な補正量を算出する演算部として機能する。
【００４４】
入力ユニット６は、基準ガイド２１の傾きの補正に必要な情報をユーザが入力するためものである。入力ユニット６は、例えばタッチスクリーンを備える。
【００４５】
入力ユニット６は、折りパターンおよび用紙のサイズをユーザが入力するためのものである。言い換えると、入力ユニット６は、紙折ユニット３の使用される折り機構およびその折り機構の折り長さをユーザが入力するためのものである。例えば、ユーザは、タッチスクリーンのディスプレイに表示されたボタンを操作することによって、折りパターンおよび用紙のサイズを入力することができる。
【００４６】
入力ユニット６は、さらに、紙折ユニット３によって折り畳まれた用紙Ｓの折りずれ量を入力するためのものでもある。例えば、ユーザは、ディスプレイに表示されたボタンを操作することによって、折りずれ量を入力することができる。
【００４７】
入力ユニット６を通じて入力された折りパターン、用紙のサイズ、および、折りずれ量に基づいて、補正量が制御ユニット５によって演算され、基準ガイド２１の傾きが、調整機構４によって補正される。以下でその詳細が記載される。
【００４８】
実施形態では、折り長さは、使用される折り機構のうち最初に用紙Ｓを折り畳む折り機構（以下、最初の折り機構）の折り長さであり、折りずれ量は、最初の折り機構によって折り畳まれた用紙Ｓの折りずれ量である。折りパターンおよび用紙のサイズ（長さおよび幅）が、入力ユニット６を通じてユーザによって入力されることで、最初の折り機構の折り長さおよびそのバックルが上段か下段であるかについての情報が得られる。ここで、図１３の通り、折り長さＬ２は、折り畳み前の用紙Ｓの先端から折り線までの長さとされる。また、上段のバックルと下段のバックルとは互いに反対の向きに用紙Ｓを折るが、これは、傾きの補正のために考慮されなければならない。
【００４９】
入力ユニット６は、入力された情報に応じて、図８Ａ−図１０Ｂの表示画面のいずれか１つをディスプレイに表示する。
【００５０】
図８Ａは、折り長さが用紙長さの半分であり、上段のバックル３０ａが使用されるときの表示画面である。図８Ｂは、折り長さが用紙長さの半分であり、下段のバックル３０ｂが使用されるときの表示画面である。
【００５１】
図９Ａは、折り長さが用紙長さの半分より大きく、上段のバックルが使用されるときの表示画面である。図９Ｂは、折り長さが用紙長さの半分より大きく、下段のバックルが使用されるときの表示画面である。
【００５２】
図１０Ａは、折り長さが用紙長さの半分未満であり、上段のバックルが使用されるときの表示画面である。図１０Ｂは、折り長さが用紙長さの半分未満であり、下段のバックルが使用されるときの表示画面である。
【００５３】
なお、各表示画面上の用紙は、最初の折り機構によってのみ折り畳まれて紙折ユニット３から排出された状態の用紙の平面図である。各表示画面上の左向きの矢印は、供給方向Ｙに対応する。
【００５４】
次いで、紙折装置は、折りずれ量の入力をユーザに要求する。最初の折り機構によって折り畳まれた用紙Ｓの折りずれ量が、入力ユニット６を通じてユーザによって入力される。実施形態では、図１２Ｃの通り、折りずれ量ｄは、折り畳まれた用紙Ｓにおいて、（基準ガイド２１に当接される）一側縁Ｓａの端からその一側縁Ｓａまでの折り線に沿った距離と規定されている。
【００５５】
このために、ユーザは、紙折装置に用紙Ｓを試し折りさせて、最初の折り機構によって折り畳まれた用紙Ｓの折りずれ量を測定する。なお、用紙Ｓが複数回折り畳まれるとき、ユーザは、最初の折り機構以外の折り機構により形成された折りを解いてから、この折りずれ量を測定する。
【００５６】
ユーザが、表示画面の入力ボタン６０を操作すると、図１１の入力画面が表示される。ユーザは、この入力画面上で、測定された折りずれ量を入力する。図８Ａ−図１０Ｂから明らかな通り、基準ガイド２１の傾きの方向によって、用紙Ｓのずれの方向は異なる。実施形態では、一方向の折りずれ量をマイナスの量として入力し、他方向の折りずれ量をプラスの量として入力することが要求される。入力された折りずれ量は、ずれ量表示枠６１に表示される。
【００５７】
図１２、図１３を参照して、制御ユニット５は、それから、折りずれ量ｄ［ｍｍ］、用紙のサイズ（長さＬ１［ｍｍ］、幅ｗ［ｍｍ］）、および、紙折ユニット３（最初の折り機構）の折り長さＬ２［ｍｍ］から、以下のように、基準ガイド２１の供給方向Ｙに対する傾き角度θ［ｒａｄ］を演算し、それによって補正量ａ［ｍｍ］を演算する。以下では、折りずれ量ｄは、用紙Ｓのずれの方向に関わらず正の値とされ（ｄ＞０）、角度θは、基準ガイド２１の傾きの方向に関わらず正の値とされる（０＜θ＜π／２）。
【００５８】
折り畳まれた用紙Ｓの重なり方は、用紙の長さＬ１、折り長さＬ２、基準ガイド２１の傾きの方向に応じて、図１３（ａ）‐（ｄ）の４つのパターンに分類される。
【００５９】
図１３（ａ）‐（ｄ）のそれぞれで数１の関係が成立する。ここで、Ｌ３は、折りによって重なる部分の長さを表す（図１３（ａ）‐（ｄ）を参照）。
【００６０】
【数１】
0006376635.tif 000002
【００６１】
数１は、以下の数２の通り変形される。
【００６２】
【数２】
0006376635.tif 000003
【００６３】
実際の紙折装置において、基準ガイド２１の傾きの角度θは非常に小さいので、数３の近似がなされてよい。
【００６４】
【数３】
0006376635.tif 000004
【００６５】
数４が、数２および数３から得られる。
【００６６】
【数４】
0006376635.tif 000005
【００６７】
Ｌ１、Ｌ２、ｄは、既知であるので、図１３（ａ）、（ｃ）の場合、角度θを数４（ａ）、（ｃ）で求めることができる。数４（ｂ）、（ｄ）は、数５の通り変形される。
【００６８】
【数５】
0006376635.tif 000006
【００６９】
これらは、θの２次方程式である。得られる２つの解のうち、明らかに異なる方を排除すると、図１３（ｂ）、（ｄ）の場合、角度θは数６（ｂ）、（ｄ）で求めることができる。
【００７０】
【数６】
0006376635.tif 000007
【００７１】
補正量ａは、数７で求めることができる。Ｌ０は、図１２Ａの通り、基準ガイド２１の支点（ピン２４）から調整機構４が力を基準ガイド２１に作用させる作用点までの距離である。Ｌ０は、既知である。
【００７２】
【数７】
0006376635.tif 000008
【００７３】
制御ユニット５は、入力された情報に基づき、図１３（ａ）‐（ｄ）の中から該当するパターンを特定し、それに対応する上記の計算式で角度θを演算し、それによって補正量ａを演算する。そして、調整機構４は、制御ユニット５に制御されて、基準ガイド２１を補正量ａで適切な方向に揺動させ、それによって基準ガイド２１の供給方向Ｙに対する傾きを補正する。揺動方向は、用紙のずれの方向（折りずれ量のプラス・マイナス）、および、バックルの上段・下段によって決定される（揺動方向については、図８Ａ−図１０Ｂのそれぞれを参照）。なお、演算された補正量ａは、図８Ａ‐図１０Ｂの通り、表示画面の補正量表示枠６２に表示される。
【００７４】
この傾きの補正の結果、基準ガイド２１は、供給方向Ｙに平行にのびて、供給方向Ｙと一直線になる。即ち、基準ガイド２１は、折り方向に直角にのびる。したがって、用紙Ｓのスキューは、供給方向Ｙに対して正確に補正され、用紙Ｓは、紙折ユニット３によってずれなく折り畳まれる。
【００７５】
以上のように、ユーザは、紙折ユニット３によって折り畳まれた用紙Ｓの折りずれ量ｄを、入力ユニット６を通じて入力するだけで、基準ガイド２１の傾きを正確に補正することができる。したがって、基準ガイド２１の傾きを容易にかつ短時間で補正することができる。
【００７６】
本発明の好ましい実施形態について説明したが、本発明は上記実施形態に限定されるものではない。
【００７７】
折りパターンおよび用紙のサイズは、入力ユニット６を通じてユーザによって入力される代わりに、紙折装置の外部の装置（例えばその上流に配置された前処理装置など）から取得されてよい。
【００７８】
紙折ユニット３は、バックル折り機以外の構成でもよい。調整機構４は、他の構成によって基準ガイド２１の傾きを調整してもよい。
【００７９】
上記実施形態において、数５（ｂ）、（ｄ）の角度θの演算は比較的煩雑であり、制御ユニット５に大きな負荷を与える。負荷軽減のために、制御ユニット５は、図１３（ｂ）の場合に角度θを数４（ａ）で演算し、図１３（ｄ）の場合に角度θを数４（ｃ）で演算することで、演算を簡略化してよい。このようにしても、実用上差し支えがないことが経験的にわかっている。
【００８０】
補正量ａを演算することができる限り、折りずれ量の規定は任意である。例えば、図１４の通り、折りずれ量ｄに代えて、異なる折りずれ量ｄ’が規定されて、角度θおよび補正量ａが、折ずれ量ｄ’および適切な演算式を用いて制御ユニット５によって演算されてよい。
【符号の説明】
【００８１】
１  給紙ユニット
２  搬送ユニット
２１  基準ガイド
２２  搬送機構
２４  ピン
３  紙折ユニット
４  調整機構
５  制御ユニット
６  入力ユニット
ｄ、ｄ’  折りずれ量
Ｌ１  用紙の長さ
Ｌ２  折り長さ
ｗ  用紙の幅
Ｙ  供給方向
【要約】
基準ガイドの傾きを容易に補正する。紙折装置は、用紙を折り畳む紙折ユニットと、用紙のスキューを補正しながら、用紙を紙折ユニットへ紙折ユニットの折り方向に直角な供給方向に供給する搬送ユニットと、を備える。搬送ユニットは、長尺状の基準ガイドと、基準ガイドに向かう力を用紙に作用させながら用紙を供給方向に搬送する搬送機構と、基準ガイドの供給方向に対する傾きを調整する調整機構とを備える。紙折装置は、折り畳まれた用紙の折りずれ量をユーザが入力するための入力ユニットを備える。基準ガイドの傾きは、入力ユニットを通じて入力された折りずれ量に基づいて、調整機構によって補正される。【図１】
0006376635.tif 000009
【図２】
0006376635.tif 000010
【図３】
0006376635.tif 000011
【図４】
0006376635.tif 000012
【図５】
0006376635.tif 000013
【図６】
0006376635.tif 000014
【図７】
0006376635.tif 000015
【図８】
0006376635.tif 000016
【図９】
0006376635.tif 000017
【図１０】
0006376635.tif 000018
【図１１】
0006376635.tif 000019
【図１２】
0006376635.tif 000020
【図１３】
0006376635.tif 000021
【図１４】
0006376635.tif 000022